(57)【要約】【課題】電源オン状態にあって、しかもポケット等の密閉環境内にあるために低温火傷を負う懸念があるということを正確かつ確実に判定することができる携帯電子機器を提供する。【解決手段】デジタルカメラ１の操作が行なわれる度にＣＰＵがタイマーをリセットする構成にして操作が暫く行なわれなくなったことをタイマーの計時により検知し、ＣＰＵは温度センサＴＨ１と温度センサＴＨ２とをオンにして第１の温度と第２の温度とをモニターし続け、第１の閾値温度Ｔｔｈ１になるかどうかを監視する。さらにＣＰＵは、タイマー値が０のときの第１の温度と第２の温度との組合せに対応づけられた温度変化カーブを取得して、第１の温度が第１の閾値温度になったときにその温度変化カーブ上の温度が、所定の第２の閾値温度未満である低温火傷懸念状態にあるか否かを判定する。【選択図】図３
2010025754.tif 000002
【特許請求の範囲】
【請求項１】
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、前記第１の温度センサと前記第２の温度センサとにより測定された前記第１の温度と前記第２の温度との組合せに対応づけられた温度変化カーブを取得する取得手段と、
前記基準時刻以降、前記第１の温度センサにより測定される第１の温度が所定の第１の閾値温度に達するか否かを監視し、該基準時刻を前記原点時刻に一致させたときの、該第１の温度が該第１の閾値温度に達した判定時刻における、前記取得手段で取得した温度変化カーブ上の温度が、所定の第２の閾値温度未満である低温火傷懸念状態にあるか否かを判定する監視・判定手段とを備えたことを特徴とする携帯電子機器。
【請求項２】
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、前記第１の温度センサと前記第２の温度センサとにより測定された前記第１の温度と前記第２の温度との組合せに対応づけられた温度変化カーブを取得する取得手段と、
前記基準時刻以降、前記第１の温度センサにより測定される第１の温度が所定の閾値温度に達するか否かを監視し、該基準時刻を前記原点時刻に一致させたときの、該第１の温度が該閾値温度に達した判定時刻から、前記取得手段で取得した温度変化カーブ上の温度が前記第１の閾値温度に達する時刻までに要する差分時間が、所定の閾値時間以上である低温火傷懸念状態にあるか否かを判定する監視・判定手段とを備えたことを特徴とする携帯電子機器。
【請求項３】
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、前記第１の温度センサと前記第２の温度センサとにより測定された前記第１の温度と前記第２の温度との組合せに対応づけられた温度変化カーブを取得する取得手段と、
前記基準時刻以降の、前記第１の温度センサにより測定される第１の温度が所定の閾値温度に達するか否かを監視し、該閾値温度に達した時点における該第１の温度の第１の温度変化勾配が、前記取得手段で取得した温度変化カーブ上の温度が前記閾値温度に達する時点における該温度変化カーブの第２の温度変化勾配よりも所定の閾値勾配以上大きい勾配である低温火傷懸念状態にあるか否かを判定する監視・判定手段とを備えたことを特徴とする携帯電子機器。
【請求項４】
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器が置かれた環境の温度に対応づけられた、原点時刻からの時間経過に応じて変化する温度を表わす温度変化カーブを複数の温度について記憶しておく記憶手段と、
当該携帯電子機器の最終操作時刻に由来する基準時刻における、前記第２の温度センサにより測定された前記第２の温度に対応づけられた温度変化カーブを取得する取得手段と、
前記基準時刻以降、前記第１の温度センサにより測定される第１の温度を監視し、該基準時刻を前記原点時刻に一致させたときの、該第１の温度が、前記取得手段で取得した温度変化カーブ上の温度に所定の閾値差分温度を加えた温度を超えたか否かを判定する監視・判定手段とを備えたことを特徴とする携帯電子機器。
【請求項５】
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器が置かれた環境の温度に対応づけられた、原点時刻からの時間経過に応じて変化する温度を表わす温度変化カーブを複数の温度について記憶しておく記憶手段と、
当該携帯電子機器の最終操作時刻に由来する基準時刻における前記第２の温度センサにより測定された前記第２の温度に対応づけられた温度変化カーブを取得する取得手段と、
前記基準時刻を前記原点時刻に一致させたときの該基準時刻から所定の閾値時間経過後の、前記第１の温度センサにより測定される第１の温度が、前記取得手段で取得した温度変化カーブ上の、該原点時刻から該閾値時間経過後の温度に所定の閾値差分温度を加えた温度を超えた低温火傷懸念状態にあるか否かを判定する監視・判定手段とを備えたことを特徴とする携帯電子機器。
【請求項６】
当該携帯電子機器を振動させるバイブレータと、
前記監視・判定手段により前記低温火傷懸念状態にある旨、判定されたことを受けて、前記バイブレータを駆動して当該携帯電子機器を振動させるバイブレータ駆動手段を更に備えたことを特徴とする請求項１から５記載の携帯電子機器。
【請求項７】
前記監視・判定手段により前記低温火傷懸念状態にある旨、判定されたことを受けて、少なくとも一部の回路部分への供給電力を制限する電力制限手段を備え、
前記監視・判定手段が、前記電力制限手段による供給電力の制限が行なわれた時点から所定時間経過した時点での、前記第１の温度センサにより測定される第１の温度が、所定の低温火傷閾値温度を超えている低温火傷懸念継続状態にあるか否かを判定するものであって、
当該携帯電子機器を振動させるバイブレータと、
前記監視・判定手段により前記低温火傷懸念継続状態にある旨、判定されたこと受けて、前記バイブレータを駆動して当該携帯電子機器を駆動させるバイブレータ駆動手段とをさらに備えたことを特徴とする請求項１から５記載のうちのいずれか１項記載の携帯電子機器。
【発明の詳細な説明】
【技術分野】
【０００１】
本発明は、電源オン状態にあるときに動作に伴って発熱する携帯電子機器に関する。
【背景技術】
【０００２】
カメラ付き携帯電話機や電子手帳などの携帯電子機器が普及し、誰でもが一台は持つようになってきている。これらの携帯電子機器は電池からの電力供給を受けて動作するものであって電源オン状態にあるときには動作に伴って発熱するが、携帯中は発熱が起きても周囲の空気により筐体が自然冷却されて火傷を負わない程度の一定の温度に保たれるように設計されている。
【０００３】
しかし、携帯電子機器を所有するユーザの中には、うっかりと携帯電子機器を電源オン状態にしたままポケットに入れて持ち歩いてしまう人がいる。またポケットに入れてある携帯電子機器の電源スイッチを誤ってオンにしてしまう人もいる。
【０００４】
大抵の携帯電子機器にはオートパワーオフ機能が搭載されているので問題はないが、そのオートパワーオフ機能が作動しない場合には、ポケットの中の筐体の温度が密閉環境に置かれて予想以上に温度上昇してしまう。この様な場合には、ポケットと人の肌の間に一枚の布しかないことがあり、そのポケットに接する肌の部分が低温火傷を負ってしまうことがある。一例ではあるが、筐体の温度が４４℃になっていた場合には、６時間で肌が低温火傷の状態になると言われている。
【０００５】
ここで、携帯電子機器がポケット内にあって低温火傷の状態にあるかどうかを正確に判定するためには、ポケット等の密閉環境に入れられた後の携帯電子機器の、肌に接している箇所の温度が継続的に低温火傷を負わせる温度になっているかどうかを検出する必要がある。そこで特許文献１では、携帯電子機器の筐体の表面温度をセンサで検出して時間と温度の関係をグラフ化して低温火傷の危険温度であるかどうかを判定し、低温火傷の危険がある場合には音や表示を使ってユーザに注意を喚起する技術が提案されている。
【０００６】
しかし、この特許文献１の技術を使って筐体の表面に取り付けられたセンサでポケット内の温度を測定するだけでは、低温火傷の懸念はない場面であっても、外気温の影響や直射日光の影響を受けて低温火傷を負う懸念があるという注意を喚起してしまう恐れがある。
【特許文献１】特開２００７−７４０９５号公報
【発明の開示】
【発明が解決しようとする課題】
【０００７】
本発明は、上記事情に鑑み、電源オン状態にあって、しかもポケット等の密閉環境内にあるために低温火傷を負う懸念があるということを正確かつ確実に判定することができる携帯電子機器を提供することを目的とする。
【課題を解決するための手段】
【０００８】
上記目的を達成するための本発明の第１の携帯電子機器は、電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、上記第１の温度センサと上記第２の温度センサとにより測定された上記第１の温度と上記第２の温度との組合せに対応づけられた温度変化カーブを取得する取得手段と、
上記基準時刻以降、上記第１の温度センサにより測定される第１の温度が所定の第１の閾値温度に達するか否かを監視し、基準時刻を上記原点時刻に一致させたときの、第１の温度が第１の閾値温度に達した判定時刻における、上記取得手段で取得した温度変化カーブ上の温度が、所定の第２の閾値温度未満である低温火傷懸念状態にあるか否かを判定する監視・判定手段とを備えたことを特徴とする。
【０００９】
上記本発明の第１の携帯電子機器によれば、当該電子機器の最終操作時刻に由来する上記基準時刻以降、上記監視・判定手段によって上記第１の温度センサにより測定される第１の温度が所定の第１の閾値温度に達するか否かが監視される。
【００１０】
ここで、上記最終操作時刻に由来する基準時刻とは、当該携帯電子機器が電源オンの状態でポケットに入れられたと想定される時刻を指す。例えばユーザが行った最終の操作が撮影操作であったときはその操作を行なった後ポケットに入れたと想定される時刻（例えば、予め固定的に決めておいた最終操作の時刻から所定時間経過した時刻）が最終操作に由来する基準時刻になる。
【００１１】
こうして当該携帯電子機器がポケットに入れられたと想定される基準時刻が定められ上記監視・判定手段によってその基準時刻以降の上記第１の温度の温度上昇状態が監視される。また上記監視・判定手段による監視が開始されたときには上記取得手段によって上記記憶手段内にある複数の温度変化カーブの中から一つが取得され、上記監視・判定手段によって取得された温度変化カーブの原点時刻に上記基準時刻をあわせる処理が行なわれる。なお上記記憶手段内の温度変化カーブは、密閉環境にないときの温度変化カーブである。
【００１２】
そして上記監視・判定手段は、ポケットに入れられたと想定される基準時刻以降の上記第１の温度を上記第１の温度センサによって継続して測定して、その第１の温度が上記第１の閾値温度に達した判定時刻を検知し、上記第１の温度と上記第２の温度とに対応付けられた温度変化カーブ上の上記判定時刻における温度が、所定の第２の閾値未満であるときに上記第１の温度が、密閉環境にないときの温度よりも第１の閾値温度に速く達し、さらにその第１の温度が温度変化カーブ上の温度よりも予め決められた値以上高いということをもってポケット等の密閉環境にあって低温火傷懸念状態にあると判定する。
【００１３】
このような構成にすると、上記監視・判定手段は、当該携帯電子機器がポケット等の密閉環境にある場合に限り、低温火傷懸念状態にあると確実かつ正確に判定することとなる。
【００１４】
ここで上記記憶手段に温度変化カーブをあまり多く記憶すると上記記憶手段のメモリ容量を大きくしなければならないので、上記取得手段が上記記憶手段から代表的な温度変化カーブをいくつか取得して取得したいくつかのカーブを用いて補間演算などにより、必要な温度変化カーブを取得する構成にすると、メモリ容量を減らすことができる。
【００１５】
上記目的を達成する上記本発明の第２の携帯電子機器は、電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、上記第１の温度センサと上記第２の温度センサとにより測定された上記第１の温度と上記第２の温度との組合せに対応づけられた温度変化カーブを取得する取得手段と、
上記基準時刻以降、上記第１の温度センサにより測定される第１の温度が所定の閾値温度に達するか否かを監視し、その基準時刻を上記原点時刻に一致させたときの、その第１の温度がその所定の閾値温度に達した判定時刻から、上記取得手段で取得した温度変化カーブ上の温度が上記所定の閾値温度に達する時刻までに要する差分時間が、所定の閾値時間以上である低温火傷懸念状態にあるか否かを判定する監視・判定手段とを備えたことを特徴とする。
【００１６】
上記本発明の第２の携帯電子機器によれば、当該電子機器の最終操作時刻に由来する上記基準時刻以降、上記監視・判定手段によって上記第１の温度センサにより測定される第１の温度が所定の第１の閾値温度に達するか否かが監視される。
【００１７】
また上記監視・判定手段による監視が開始されたときには上記取得手段によって上記記憶手段内にある複数の温度変化カーブの中から一つが取得されて、上記監視・判定手段によって取得された温度変化カーブの原点時刻に上記基準時刻をあわせる処理が行なわれる。
【００１８】
そして上記監視・判定手段は、ポケットに入れられたと想定される基準時刻以降の上記第１の温度を上記第１の温度センサによって継続して測定して、その第１の温度が上記第１の閾値温度に達した判定時刻を検知し、その判定時刻から、上記取得手段で取得した温度変化カーブ上の温度が上記所定の閾値温度に達する時刻までに要する差分時間が、所定の閾値時間以上であるときに、上記第１の温度が、密閉環境にないときよりも所定の閾値温度に速く達したということをもってポケット等の密閉環境にあって低温火傷懸念状態にあると判定する。
【００１９】
このようにしても、上記第１の携帯電子機器と同様に、上記監視・判定手段が当該携帯電子機器がポケット等の密閉環境にある場合に限り、低温火傷懸念状態にあると確実かつ正確に判定することとなる。
【００２０】
上記目的を達成する本発明の第３の携帯電子機器は、電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器内部の温度と当該携帯電子機器が置かれた環境の温度との組合せに対応づけられた、原点時刻からの時間経過に応じて変化する温度を表わす温度変化カーブを複数の組合せについて記憶しておく記憶手段と、
当該携帯電子機器の最終操作時刻に由来する基準時刻における、上記第１の温度センサと上記第２の温度センサとにより測定された上記第１の温度と上記第２の温度との組合せに対応づけられた温度変化カーブを取得する取得手段と、
上記基準時刻以降の、上記第１の温度センサにより測定される第１の温度が所定の閾値温度に達するか否かを監視し、その閾値温度に達した時点におけるその第１の温度の第１の温度変化勾配が、上記取得手段で取得した温度変化カーブ上の温度が上記閾値温度に達する時点におけるその温度変化カーブの第２の温度変化勾配よりも所定の閾値勾配以上大きい勾配である低温火傷懸念状態にあるか否かを判定する監視・判定手段とを備えたことを特徴とする。
【００２１】
上記本発明の第３の携帯電子機器によれば、当該電子機器の最終操作時刻に由来する上記基準時刻以降、上記監視・判定手段によって上記第１の温度センサにより測定される第１の温度が所定の閾値温度に達するか否かが監視される。
【００２２】
また上記監視・判定手段による監視が開始されたときには上記取得手段によって上記記憶手段内にある複数の温度変化カーブの中から一つが取得されて、上記監視・判定手段によって取得された温度変化カーブの原点時刻に上記基準時刻をあわせる処理が行なわれる。
【００２３】
そして上記監視・判定手段は、ポケットに入れられたと想定される基準時刻以降の上記第１の温度を上記第１の温度センサによって継続して測定して、その第１の温度が上記第１の閾値温度に達した判定時刻を検知し、その判定時刻における第１の温度変化勾配を算出し、その温度変化勾配が、上記取得手段で取得した温度変化カーブ上の温度が上記閾値温度に達する時点におけるその温度変化カーブの第２の温度変化勾配よりも所定の閾値勾配以上大きい勾配であるときに上記第１の温度の変化速度が、密閉環境にないときの温度変化の変化速度よりも速いということをもってポケット等の密閉環境にあって低温火傷懸念状態にあると判定する。
【００２４】
このようにしても、上記本発明の第１の携帯電子機器、上記本発明の第２の携帯電子機器と同様に、上記監視・判定手段が、当該携帯電子機器がポケット等の密閉環境にある場合に限り、低温火傷懸念状態にあると確実かつ正確に判定することとなる。
【００２５】
上記目的を達成する本発明の第４の携帯電子機器は、
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器が置かれた環境の温度に対応づけられた、原点時刻からの時間経過に応じて変化する温度を表わす温度変化カーブを複数の温度について記憶しておく記憶手段と、
当該携帯電子機器の最終操作時刻に由来する基準時刻における、上記第２の温度センサにより測定された上記第２の温度に対応づけられた温度変化カーブを取得する取得手段と、
上記基準時刻以降、上記第１の温度センサにより測定される第１の温度を監視し、その基準時刻を上記原点時刻に一致させたときの、その第１の温度が、上記取得手段で取得した温度変化カーブ上の温度に所定の閾値差分温度を加えた温度を超えたか否かを判定する監視・判定手段とを備えたことを特徴とする。
【００２６】
上記本発明の第４の携帯電子機器によれば、当該電子機器の最終操作時刻に由来する上記基準時刻以降、上記監視・判定手段によって上記第１の温度センサにより測定される第１の温度が所定の閾値温度に達するか否かが監視される。
【００２７】
ここで上記監視・判定手段が、基準時刻時の上記第２の温度が上記第１の温度よりも充分に高く、基準時刻以降においては第２の温度のみの影響を受けて第１の温度が上昇すると判定したときには、上記取得手段は、上記記憶手段内にある複数の温度変化カーブの中から第２の温度に対応付けられた温度変化カーブを一つ取得し取得した温度変化カーブの原点時刻に上記基準時刻をあわせる処理を行なう。
【００２８】
こうして上記監視・判定手段は、ポケットに入れられたと想定される基準時刻以降の上記第１の温度を上記第１の温度センサによって継続して測定して、その第１の温度が、上記取得手段で取得した、第２の温度に対応付けられた温度変化カーブ上の温度に所定の閾値差分温度を加えた温度を超えていると判定したきに上記第１の温度の上昇速度が、密閉環境にないときの温度の上昇速度よりも速いということをもってポケット等の密閉環境にあって低温火傷懸念状態にあると判定する。
【００２９】
こうして上記第２の温度が第１の温度よりも充分に高く、第１の温度の変化が第２の温度のみの影響を受けることが確実な状態であるときには、上記本発明の第４の携帯電子機器のような構成にしても良い。
【００３０】
また上記目的を達成する本発明の第５の携帯電子機器は、
電源オン状態にあるときに動作に伴って発熱する携帯電子機器において、
当該携帯電子機器内部の温度である第１の温度を測定する第１の温度センサと、
当該携帯電子機器が置かれた環境の温度である第２の温度を測定する第２の温度センサと、
計時手段と、
当該携帯電子機器が置かれた環境の温度に対応づけられた、原点時刻からの時間経過に応じて変化する温度を表わす温度変化カーブを複数の温度について記憶しておく記憶手段と、
当該携帯電子機器の最終操作時刻に由来する基準時刻における上記第２の温度センサにより測定された上記第２の温度に対応づけられた温度変化カーブを取得する取得手段と、
上記基準時刻を上記原点時刻に一致させたときの基準時刻から所定の閾値時間経過後の、上記第１の温度センサにより測定される第１の温度が、上記取得手段で取得した温度変化カーブ上の、原点時刻から閾値時間経過後の温度に所定の閾値差分温度を加えた温度を超えた低温火傷懸念状態にあるか否かを判定する監視・判定手段とを備えたことを特徴とする。
【００３１】
上記本発明の第５の携帯電子機器では、上記取得手段で取得した第２の温度に対応付けられた温度変化カーブ上の、原点時刻から閾値時間経過後の温度に所定の閾値差分温度を加えた温度を超えた状態にあるか否かが判定される。
【００３２】
例えば、上記第２の温度が上記第１の温度よりも充分に低い場合には、当該携帯電子機器が電源オン状態にあってポケットに入れられたとしても第１の温度はなかなか上昇しない。
【００３３】
このため第２の温度が第１の温度に比べて充分に低いときには、上記監視・判定手段が、上記基準時刻を上記原点時刻に一致させたときの基準時刻から所定の閾値時間経過後の、上記第１の温度センサにより測定される第１の温度が、上記取得手段で取得した第２の温度に対応付けられた温度変化カーブ上の、原点時刻から閾値時間経過後の温度に所定の閾値差分温度を加えた温度を超えた低温火傷懸念状態にあるか否かを判定すれば良くなる。
【００３４】
こうして上記第２の温度が第１の温度よりも充分に低く、第１の温度の変化が第２の温度のみの影響を受けることが確実な状態であるときには、上記本発明の第５の携帯電子機器のような構成にしても良い。
【００３５】
ここで上記本発明の第１の携帯電子機器と上記本発明の第４の携帯電子機器と上記本発明の第５の携帯電子機器とを組み合わせて良く、また上記本発明の第２の携帯電子機器と上記本発明の第４の携帯電子機器と上記本発明の第５の携帯電子機器とを組み合わせても良く、さらに上記本発明の第３の携帯電子機器と上記本発明の第４の携帯電子機器上記本発明の第５の携帯電子機器とを組み合わせて良い。
【００３６】
また、上記本発明の第１から第５の携帯電子機器が、当該携帯電子機器を振動させるバイブレータと、
上記監視・判定手段により上記低温火傷懸念状態にある旨、判定されたことを受けて、上記バイブレータを駆動して当該携帯電子機器を振動させるバイブレータ駆動手段を更に備えた態様であると良い。
【００３７】
そうすると、上記監視・判定手段により低温火傷懸念状態にある旨、判定されたことを受けて上記バイブレータ駆動手段が上記バイブレータを駆動して振動させることにより低温火傷懸念状態にあることをユーザに的確に通知することができる。
【００３８】
また上記監視・判定手段により上記低温火傷懸念状態にある旨、判定されたことを受けて、少なくとも一部の回路部分への供給電力を制限する電力制限手段を備え、
上記監視・判定手段が、上記電力制限手段による供給電力の制限が行なわれた時点から所定時間経過した時点での、上記第１の温度センサにより測定される第１の温度が、所定の低温火傷閾値温度を超えている低温火傷懸念継続状態にあるか否かを判定するものであって、
当該携帯電子機器を振動させるバイブレータと、
上記監視・判定手段により上記低温火傷懸念継続状態にある旨、判定されたこと受けて、前記バイブレータを駆動して当該携帯電子機器を駆動させるバイブレータ駆動手段とをさらに備えた態様であると尚良い。
【００３９】
そうすると、まず上記監視・判定手段によって低温火傷懸念状態にあると判定されたときには上記バイブレータ駆動手段の駆動によりバイブレータを振動させて低温火傷状態にあることをユーザに通知する処理が行なわれるとともに、上記電力制限手段により供給電力の制限が行なわれて低温火傷状態を回避する措置がとられる。
【００４０】
ここでユーザが上記措置をとった後においては再び当該計低電子機器をポケットに入れることが考えられる。しかしもしもポケットが保温性の高い材質でできたものであると、電源オフされた後の当該携帯電子機器の第１の温度があまり下がらずに低温火傷懸念状態が継続されてしまう恐れがある。
【００４１】
このようなときには、上記監視・判定手段が、所定時間経過した時点で電力供給制限を一旦解除して上記第１の温度センサと上記第２の温度センサとによる測定を行なって低温火傷継続状態にあるか否かを再度判定して低温火傷懸念継続状態にあると判定したときには上記バイブレータの振動によってユーザに低温火傷懸念継続状態にあることを通知する構成にしておくと良い。
【発明の効果】
【００４２】
以上説明した様に、電源オン状態にあって、しかもポケット等の密閉環境内にあるために低温火傷を負う懸念があるということを正確かつ確実に判定することができる携帯電子機器が実現する。
【発明を実施するための最良の形態】
【００４３】
以下、図面を参照して本発明の実施の形態を説明する。
【００４４】
図１は、本発明の携帯電子機器の一実施形態であるデジタルカメラを示す図である。
【００４５】
図１に示す様に、ボディの中央には撮影光学系が内蔵されたレンズ鏡胴１１０が備えられており、そのレンズ鏡胴１１０の上方にはファインダ１０１が備えられている。またそのファインダ１０１の横には閃光発光窓１０２が備えられており、被写界の輝度が所定の輝度よりも暗い場合にはその閃光発光窓１０２を通して閃光が発せられて撮影が行なわれる構成になっている。また上面にはレリーズボタン１０３と電源スイッチ１０４とモードダイヤル１０５が備えられている。尚図示はしないが、背面側には表示画面や撮影モードや再生モード等におけるいろいろなメニューを指定するための操作子類が備えられている。更に本実施形態のデジタルカメラ１には、このデジタルカメラ１が置かれた環境の温度を測定するための温度センサＴＨ２が配備されている。この温度センサＴＨ２はこのデジタルカメラ１が置かれた環境の温度を測定するものである。
【００４６】
図２は、図１のデジタルカメラ１の内部の構成を示す図である。
【００４７】
なお、閃光発光部は、発明に直接関係がないので省略されている。
【００４８】
本実施形態のデジタルカメラ１の動作は、ＣＰＵ１００によって統括的に制御されている。ＣＰＵ１００には、プログラムメモリが内蔵されており、そのプログラムメモリ内にはこのデジタルカメラの動作手順を示すプログラムが書き込まれている。そのＣＰＵ１００の入力部には、レリーズボタン１０３や電源スイッチ１０４やモードダイヤル１０５等の入力操作子が接続されており、ＣＰＵ１００は、まず電源スイッチ１０４の投入を受けてプログラムメモリ内のプログラムの記述にしたがって図１のデジタルカメラ１の動作を制御し、それ以降のモードダイヤル１０５、レリーズボタン１０３等の操作に応じた処理を実行する。
【００４９】
またこのＣＰＵ１００によって制御される撮像部１１１には、図示はしないが図１のレンズ鏡胴１１０に内蔵されている撮影光学系と撮像素子と後段の画像処理部に供給するための画像データに変換するための前処理を行なう前処理部とが備えられている。上記ＣＰＵ１００に電源スイッチ１０４のオン信号が供給され、さらにモードダイヤル１０５から撮影モード信号が供給されてくると、ＣＰＵ１００は、上記撮像部１１１を制御してその撮像部１１１に撮影を開始させ撮像部１１１に画像データの出力を開始させる。
【００５０】
その撮像部１１１の後段には、画像処理部１１２が備えられており、その画像処理部１１２では、上記撮像部１１１からの画像データの出力を受けてＣＰＵ１００の制御の下に一連の画像処理プロセスが実行される。
【００５１】
レリーズボタン１０３が操作される前においては、撮像部１１１が備える撮像素子から全画素からなる画像データが出力されずに全画素のうちの途中の画素が適当に間引かれた画像データが画像処理部１１２に出力され画像処理部１１２で表示用の画像処理が行なわれて表示部１１３へと供給され表示部１１３が備えるＬＣＤの表示画面上にその画像データに基づく画像がスルー画として表示される。
【００５２】
ここで、レリーズボタン１０３が操作されると、ＣＰＵ１００は撮像部１１１に指示して全画素の画像データを出力させて画像処理部１１２に供給させる。画像処理部１１２では、撮像部１１１からの全画素の画像データを受けて記録用の画像処理が行なわれ画像処理が行なわれた画像データがＣＰＵ１００の制御の下に記録媒体１１４に記録される。
【００５３】
図１のデジタルカメラは以上のように動作する。
【００５４】
ここで、本発明に関係のある部分の構成を、図２を参照して説明する。
【００５５】
本実施形態のデジタルカメラ１は、バッテリＢＴからの電力の供給を受けて動作するものであって、ＣＰＵ１００にはそのバッテリＢＴからの電力が常時供給されている。一般的に電源オフ状態においては、ＣＰＵ１００は、いわゆる待ち受け状態にあって電源スイッチ１０４の操作を待ち受けている。ここで電源スイッチ１０４の操作があると、ＣＰＵ１００は、バッテリＢＴからの電力を、スイッチＳＷを通して上記撮像部１１１や表示部１１３などに供給することになる。
【００５６】
ユーザが電源オン状態のままポケットに入れて持ち歩いているときにはスイッチＳＷが閉じままになってバッテリＢＴから各部に電力が供給された状態のままになるので、図１のデジタルカメラ１の内部温度が上昇してユーザに低温火傷を負わせる懸念が生じる。
【００５７】
このときにはＣＰＵ１００はオートパワーオフ機能を働かせてスイッチＳＷをオフさせれば良いが、オートパワーオフ機能が設定されていないような場合などにはＣＰＵ１００はその処理を行なえない。そこで、本実施形態では、そのようなときには第１の温度センサＴＨ１で測定されている内部温度である第１の温度Ｔ１と、第２の温度センサＴＨ２で測定されている、このデジタルカメラ１が置かれた環境温度である第２の温度Ｔ２とに基づいてＣＰＵ１００がバイブレータＶｉｂを振動させることにより、低温火傷懸念状態にあることをユーザに通知するようにしている。
【００５８】
ここで、本実施形態においては、従来と同様の第２の温度センサＴＨ２だけでは、ＣＰＵ１００が、低温火傷懸念状態にないにも拘わらず、低温火傷懸念状態にあると誤判定することがあるということを考慮して、温度センサＴＨ２に加えて、デジタルカメラ１の内部の温度である第１の温度Ｔ１を測定する第１の温度センサＴＨ１を追加して低温火傷懸念状態にあるか否かを正確に判定することができるようにしている。
【００５９】
また、本実施形態のデジタルカメラ１の内部には、このデジタルカメラ１がポケットに入れられた後には上記第１の温度Ｔ１と上記第２の温度Ｔ２が互いに影響しあいながら第１の温度が上昇するとして、ポケットに入れられたときの第１の温度Ｔ１と第２の温度Ｔ２との組合せに対応づけられた、原点時刻からの時間経過に応じて変化する温度を表わす温度変化カーブが複数の組合せについて記録されたテーブルＴＢが配備されている。
【００６０】
この温度変化カーブは、密閉環境にないときの第１の温度の温度上昇カーブであって、ＣＰＵ１００は、そのテーブルＴＢ内の温度変化カーブと比較して第１の温度センサＴＨ１で測定された第１の温度Ｔ１の上昇速度が速いときには、電源オンの状態であってしかもポケット等の密閉環境に入れられていて低温火傷懸念状態にあると判定する。
【００６１】
ここで、ポケットにデジタルカメラを入れるのはユーザであって、ＣＰＵ１００は図１に示すデジタルカメラ１がポケットに入れられた時刻を正確に検出することができない。しかしそのポケットに入れられたときの時刻が分からないと、ＣＰＵ１００は密閉環境にないときの温度変化カーブとの比較を行なって密閉環境にあるか否かを正確に判定することができない。
【００６２】
そこで、本実施形態では、本発明にいう最終操作時刻に由来する基準時刻をポケット等の密閉環境に入れられた時刻であるとしてＣＰＵ１００がその基準時刻に処理を開始することができるように工夫しているので、その工夫を説明する。
【００６３】
本実施形態のデジタルカメラ１では、電源のオン操作を含めてＣＰＵ１００が、ユーザによって操作が行なわれる度にタイマーＴＭのリセットを行なって操作が暫く行なわれなくなったことを、タイマー値を参照することにより検知することができるようにしている。このようにＣＰＵ１００がタイマーＴＭのリセットをユーザによって何らかの操作が行なわれる度に行なう構成にしておくと、最終操作時刻になる、タイマー値０のときを基準時刻にして温度センサＴＨ１と温度センサＴＨ２とで温度の測定を開始して、そのタイマー値０を原点時刻とする温度Ｔ１と温度Ｔ２との組合せに対応付けられた温度変化カーブをテーブルＴＢから取得して、測定により得られた温度測定カーブと、テーブルＴＢ内の温度変化カーブとを簡単に比較検討することができる。
【００６４】
図３は、テーブルＴＢに記録されている温度変化カーブのうちのいくつかを抜粋した図である。
【００６５】
図３には、第１の温度Ｔ１と第２の温度Ｔ２との組合せに対応づけられた、原点時刻からの時間経過に応じて変化する温度を表わす温度変化カーブが複数の組合せについて示されている。これらの温度変化カーブの横軸は時間であり、縦軸は温度である。
【００６６】
図３の最も下方に示されている温度変化カーブＡは、原点時刻における第１の温度Ｔ１、第２の温度Ｔ２が共に１０℃のときの第１の温度Ｔ１の温度変化カーブであり、その上にある温度変化カーブＢが、原点時刻における第１の温度Ｔ１が１０℃、第２の温度Ｔ２が３０℃のときの第１の温度Ｔ１の温度変化カーブであり、その上の温度変化カーブＣは、原点時刻おける第１の温度Ｔ１が３０℃、第２の温度Ｔ２が３０℃であるときの第１の温度Ｔ１の温度変化カーブである。
【００６７】
ここで図３を参照してＣＰＵ１００が実行する低温火傷懸念状態の判定ルーチンの処理概要を説明する。
【００６８】
まず、電源が投入されたときにＣＰＵ１００はタイマーＴＭをリセットする。その後ＣＰＵ１００が、ユーザによって何らかの最終操作が行なわれたときにタイマーを再びリセットしてから所定の時間操作がないことを、タイマーＴＭのタイマー値を参照することにより検知したときには、そのタイマーＴＭをリセットしたときのタイマー値０の時点をポケットに入れられた基準時刻であるとして、ＣＰＵ１００がその基準時刻に第１の温度センサＴＨ１と第２の温度センサＴＨ２とで測定した第１の温度Ｔ１と第２の温度Ｔ２との組合せに対応づけられた温度変化カーブＢを取得する。
【００６９】
そしてＣＰＵ１００は上記温度変化カーブＢを取得して、温度変化カーブＢ上の原点時刻を、基準時刻にあわせる処理を実行するとともに、第１の温度センサＴＨ１で測定されている第１の温度Ｔ１がその温度変化カーブ上のどの位置に位置するかの監視を開始する。そしてサンプリングタイムごとに第１の温度Ｔ１を測定し続けてその第１の温度Ｔ１が第１の閾値温度Ｔｔｈ１（４０℃）に達する時刻を検知する。
【００７０】
図３には、説明を分かり易くするために、測定されている温度変化カーブＭの基準時刻に温度カーブの原点時刻をあわせた図が実線で示されている
つまり、ＣＰＵ１００は、タイマーＴＭの計時に基づいてサンプリングタイムごとに第１のセンサＴＨ１で測定されている温度Ｔ１が、時間の経過とともに図３の温度変化カーブＭのように上昇して第１の閾値温度Ｔｔｈ１に達するかどうかを監視し続け、第１の温度Ｔ１が第１の閾値温度Ｔｔｈ１に達したときに、先にテーブルＴＢから取得した温度変化カーブＢ上の、その第１の閾値温度Ｔｔｈ１に達した時点ｔ１における温度Ｔｋを参照し参照した温度Ｔｋが所定の第２の閾値Ｔｔｈ２未満例えば３５℃未満であるときには第１の温度Ｔ１の上昇速度が速いことをもってポケット等の密閉空間にあって低温火傷懸念状態にあると判定する。
【００７１】
つまり、ＣＰＵ１００は密閉環境にない温度変化カーブを上回る上昇カーブを描いていて、温度変化カーブの時間に対する積分値で表される熱量が増加する傾向にあると判定したときには低温火傷懸念状態にあると判定している。
【００７２】
本実施形態においては、本発明にいう監視・判定手段の一例と本発明にいう取得手段の一例とがＣＰＵ１００によって構成され、本発明にいう記録手段の一例がメモリであるテーブルＴＢによって構成されている。
この様な構成にすると、デジタルカメラがポケット等の密閉空間にあるためにユーザが低温火傷を負う懸念があるということが、正確かつ確実に判定される。
【００７３】
以上説明した様に、電源オン状態にあって、しかもポケット等の密閉環境内にあるために低温火傷を負う懸念があるということを正確かつ確実に判定することができる携帯電子機器が実現する。
【００７４】
図４は、第２実施形態を説明する図である。
【００７５】
この第２実施形態でも図１、図２の構成のデジタルカメラ１が用いられるとする。
【００７６】
第１実施形態では、デジタルカメラ１がポケット等の密閉空間内にあって第１の温度が密閉空間にないときの温度よりも高いということをもって低温火傷の懸念があると判定する構成を示したが、ＣＰＵ１００が比較するのは温度ではなく時間であっても良い。
【００７７】
第２実施形態では、図４に示す様に、本発明にいう監視・判定手段の一例を構成するＣＰＵ１００が、基準時刻以降、第１の温度センサＴＨ１により測定される第１の温度Ｔ１が所定の閾値温度Ｔｔｈに達するか否かを監視するとともに、基準時刻を温度変化カーブの原点時刻に一致させたときの、第１の温度Ｔ１がその所定の閾値温度Ｔｔｈに達した判定時刻ｔ１から、温度変化カーブＢ上の温度が上記所定の閾値温度Ｔｔｈに達する時刻ｔ２までに要する差分時間Δｔが、所定の閾値時間例えば５分以上である低温火傷懸念状態にあるか否かを判定する。つまり、ＣＰＵ１００は、密閉空間にないときよりも所定の閾値時間以上速く第１の温度Ｔ１が閾値温度Ｔｔｈに達したときに密閉空間内にあって低温火傷懸念状態にあると判定する。このような構成にしても第１実施形態と同様の効果が得られる。
【００７８】
図５は、第３実施形態を説明する図である。
【００７９】
この第３実施形態でも図１、図２の構成のデジタルカメラ１が用いられるとする。
【００８０】
この第３実施形態では、ＣＰＵ１００が、温度センサＴＨ１で測定されている第１の温度Ｔ１の測定温度カーブ上の閾値温度に達した時刻における温度変化勾配と、取得した温度変化カーブＢ上の閾値温度に達した時刻における温度変化勾配とを求めて双方を比較している。
【００８１】
図５に示す様にＣＰＵ１００は、第１のセンサＴＨ１で測定されている第１の温度Ｔ１が所定の閾値温度Ｔｔｈに達した時点における第１の温度変化勾配Ｄ１が、温度変化カーブＢ上の、第１の温度Ｔ１が所定の閾値温度Ｔｔｈに達した時点における第２の温度変化勾配Ｄ２よりも大きいときには、第１の温度の上昇速度が密閉環境にないときよりも速いということをもってデジタルカメラ１がポケットなどの密閉空間にあって低温火傷懸念状態にあると判定する。
【００８２】
この第３の実施形態の構成でも第１の実施形態と第２の実施形態と同様の効果が得られる。
【００８３】
図６は、第４実施形態を説明する図である。
【００８４】
図６には、図３、図４、図５と同様の図が示されている。
【００８５】
当該携帯電子機器が置かれた環境温度である第２の温度Ｔ２が、温度センサＴＨ１で測定されている第１の温度Ｔ１に比べて充分に高い場合には、デジタルカメラの内部温度である第１の温度は、第２の温度のみの影響を強く受けて温度上昇する。このため、上記第１実施形態から第３実施形態のように第１の温度Ｔ１と第２の温度Ｔ２とに対応付けられた温度変化カーブを用いるよりも、むしろ第２の温度Ｔ２に対応付けられた温度変化カーブを用いた方が良い。
【００８６】
つまり、第２の温度Ｔ２が第１の温度Ｔ１よりも充分に高いときには、図６に示す様に、ＣＰＵ１００が、基準時刻以降、第１の温度センサＴＨ１により測定される第１の温度Ｔ１を監視し、その基準時刻を原点時刻に一致させたときの、その第１の温度Ｔ１が、第２の温度のみに対応付けられた温度変化カーブＣ上の温度に所定の閾値差分温度ＡＤＤを加えた温度を超えたときに低温火傷懸念状態にあると判定した方が、より正確な判定を行なうことができる。
【００８７】
図７は第５実施形態を説明する図である。
【００８８】
図７に示す様に、第２の温度Ｔ２が第１の温度Ｔ１に比べて充分に低く、電源がオフされてポケットの中に入れられているときには温度変化カーブＭ２のように第１の温度Ｔ１は低下する場合には、全く低温火傷懸念状態になる懸念がない。また電源がオン状態のままでポケットに入れられていても図７に示す温度変化カーブＭ１の様に閾値温度Ｔｔｈ１に達するまでには相当な時間を要する。
【００８９】
そこでＣＰＵ１００は、第２の温度Ｔ２が第１の温度Ｔ１よりも充分に低いと判定した場合には、第２の温度Ｔ２に対応付けられた第１の温度Ｔ１の温度上昇カーブＣ１を取得して、所定の閾値時間（３０分）後の第１の温度Ｔ１が、取得した温度変化カーブＣ１上の原点時刻から閾値時間経過後の温度Ｔ３０に、所定の閾値差分温度ΔＴを加えた温度を超えた状態にあるか否かを判定する。
【００９０】
この様な構成にしても第１の実施形態、第２の実施形態、第３実施形態、第４実施形態と同様の効果が得られる。
【００９１】
なお図７には、温度が低いということを示すために図６に示した温度変化カーブＣ（第２の温度３０℃のときの第１の温度の温度変化カーブ）も図示されている。
【００９２】
ここで上記実施形態では、電源がオンのままポケットに入れられた場合に低温火傷の懸念があるときにはバイブレータＶｉｂを振動させてユーザに注意を喚起する構成を説明してきたが、そのバイブレータＶｉｂの振動に気付いてユーザが電源をオフしてポケットに入れ直したときにポケットが保温性の高い材質のポケットであった場合には、保温効果により電源がオフされた後においても低温火傷懸念状態が継続される恐れがある。つまり、ＣＰＵ１００が図３から図７で説明してきた処理を実行してバイブレータＶｉｂを振動させることにより電源オフ操作をユーザに促して電源オフ操作をユーザに行なわせても、ポケットが保温性の高い材質で出来ていた場合には電源オフされた後のデジタルカメラ１が低温火傷懸念継続状態になることがある。
【００９３】
図８、図９は、第６実施形態を説明する図である。
【００９４】
図８には、図２の構成にリレーＲＬ１が追加されたデジタルカメラ１の内部構成が示されており、図９には、図８のＣＰＵ１００が実行する処理の手順を示すフローチャートが示されている。
【００９５】
図８は図２とリレーＲＬ１が追加されている以外は同じ構成である。
【００９６】
ＣＰＵ１００が低温火傷懸念状態にあるときにスイッチＳＷを開にするとタイマーＴＭにもバッテリーＢＴからの電力が供給されなくなってしまう。
【００９７】
そこで本実施形態ではリレーＲＬ１を追加して電力制限手段であるスイッチＳＷを開状態にしたときにはリレーＲＬ１を接状態にすることでタイマーＴＭのみを作動させ続けることができるようにしている。このようにしておくと、スイッチＳＷを開状態にした後においてもＣＰＵ１００はタイマーＴＭを作動させて計時を継続することができる。
【００９８】
こうしてタイマーＴＭを作動させておいてＣＰＵ１００はタイマーＴＭによるタイマー値が予め決められた値になったときにスイッチＳＷを再投入して温度センサＴＨ１と温度センサＴＨ２とで温度の再測定を行なう構成にしている。
【００９９】
つまり、ＣＰＵ１００が低温火傷懸念状態にあると最初に判定したときにはバイブレータＶｉｂを作動させた後、スイッチＳＷを開にするとともにリレーＲＬ１を接にしてタイマーＴＭ以外の回路部分への供給電力を制限して低温火傷懸念状態を回避した後、さらに所定時間経過した後、再びスイッチＳＷを接にしてその時点での、第１の温度センサＴＨ１により測定されている第１の温度Ｔ１が所定の低温火傷閾値温度Ｔｔｈを超えている低温火傷懸念継続状態にあるか否かを判定し、低温火傷懸念継続状態にある旨、判定したときにはバイブレータＶｉｂを駆動してバイブレータＶｉｂを振動させることで低温火傷懸念継続状態にあることをユーザに通知する構成にしている。
【０１００】
このような構成にすると、低温火傷懸念状態にあることを通知することに加えて、ポケットが保温性の高い材質で出来ていて低温火傷懸念継続状態が続く場合にはバイブレータＶｉｂを振動させてユーザに低温火傷懸念継続状態にあることも通知することができる。
【０１０１】
図９を参照してＣＰＵ１００が実行する処理の手順を説明する。
【０１０２】
まず、ステップＳ９０１でＣＰＵ１００が例えば図３で説明したようにデジタルカメラがポケット等の密閉環境にあるか否かを、第１の温度センサＴＨ１で測定されている第１の温度Ｔ１が低温火傷の懸念のある温度に達したときの温度変化カーブ上の温度を使って判定する。このステップＳ９０１で密閉環境にないと判定したときにはＮｏ側へ進んでこのフローの処理を終了する。
【０１０３】
ステップＳ９０１でポケット等の密閉環境にあると判定したときには次のステップＳ９０２へ進んでさらに低温火傷懸念状態にあると判定する。なお、前述した例ではＣＰＵ１００がこのステップＳ９０１とステップＳ９０２の処理をほぼ同時に実行する。
【０１０４】
ステップＳ９０２で低温火傷の懸念があると判定したときには次のステップＳ９０３へ進んでスイッチＳＷを開にしてリレーＲＬ１を接にすることでタイマーＴＭ以外の回路への電力供給を制限する。次のステップＳ９０４で所定の時間例えば５分経過したかどうかを判定し、５分経過していなければステップＳ９０４を繰り返し、５分経過したときにはステップＳ９０５へ進む。ステップＳ９０５でスイッチＳＷを接にして各回路に電力を供給して温度センサＴＨ１と温度センサＴＨ２とを使って低温火傷懸念継続状態にあるか否かを判定して低温火傷懸念継続状態にない場合にはこのフローの処理を終了する。このステップＳ９０５で低温火傷懸念継続状態にあると判定したときにはステップＳ９０６でバイブレータＶｉｂを駆動してバイブレータＶｉｂを振動させることによりユーザに低温火傷懸念継続状態にあることを通知する。
【０１０５】
このフローの処理をＣＰＵ１００が実行すると、例えば保温性の高い材質で出来たポケットの中にデジタルカメラを入れて持ち歩いているために低温火傷懸念継続状態にあるということを正確かつ確実に判定してユーザに喚起を促すことができる。
【０１０６】
以上説明した様に、電源オン状態にあって、しかもポケット等の密閉環境内にあるために低温火傷を負う懸念があるということを正確かつ確実に判定することができる携帯電子機器が実現する。
【図面の簡単な説明】
【０１０７】
【図１】本発明の携帯電子機器の一実施形態であるデジタルカメラを示す図である。
【図２】図１のデジタルカメラの内部の構成を示す図である。
【図３】テーブルＴＢに記録されている温度変化カーブのうちのいくつかを抜粋した図である。
【図４】第２実施形態を説明する図である。
【図５】第３実施形態を説明する図である。
【図６】第４実施形態を説明する図である。
【図７】第５実施形態を説明する図である。
【図８】第６実施形態を説明する図である。
【図９】第６実施形態を説明する図である。
【符号の説明】
【０１０８】
１    デジタルカメラ
１００  ＣＰＵ
１１１  撮像部
１１２    画像処理部
１１３    表示部
１１４    記録媒体
ＴＨ１  ＴＨ２    温度センサ
ＴＭ    タイマー
Ｖｉｂ    バイブレータ
ＢＴ    バッテリ
ＲＬ１    リレー
【図１】
2010025754.tif 000003
【図２】
2010025754.tif 000004
【図３】
2010025754.tif 000005
【図４】
2010025754.tif 000006
【図５】
2010025754.tif 000007
【図６】
2010025754.tif 000008
【図７】
2010025754.tif 000009
【図８】
2010025754.tif 000010
【図９】
2010025754.tif 000011